(57)【要約】【課題】使い勝手が良好な洗濯機と、この洗濯機を備えた洗濯システムとを提供する。【解決手段】洗濯機(１００)は、操作部(１２０)からの指示と、記憶部(１５０)に記憶された設定情報とに基づいて、洗濯物処理部(１４０)および報知部(１３０)を制御する制御装置(１６０)とを備える。制御装置(１６０)は、電源がオンされると、電源のオフ中に作成された設定変更指示情報を保存しているか否かを、通信部(１１０)を介して、サーバ(２００)に問い合わせる問い合わせ部(１６１)と、サーバ(２００)が問い合わせ部(１６１)の問い合わせの回答として設定変更指示情報を通信部(１１０)へ送信して、通信部(１１０)が設定変更指示情報を受信したとき、設定変更指示情報に基づいて、記憶部(１５０)に記憶された設定情報を変更する設定変更部(１６２)とを有する。【選択図】図１
2016019652.tif 000002
【特許請求の範囲】
【請求項１】
通信部と、
操作部と、
報知部と、
洗濯物を処理する洗濯物処理部と、
上記洗濯物を処理するための運転に関する設定情報を記憶する記憶部と、
上記操作部からの指示と、上記記憶部に記憶された上記設定情報とに基づいて、上記洗濯物処理部および上記報知部を制御する制御装置と
を備え、
上記制御装置は、
電源がオンされると、上記電源のオフ中に作成された設定変更指示情報を保存しているか否かを、上記通信部を介して、サーバに問い合わせる問い合わせ部と、
上記サーバが上記問い合わせ部の問い合わせの回答として上記設定変更指示情報を上記通信部へ送信して、上記通信部が上記設定変更指示情報を受信したとき、上記設定変更指示情報に基づいて、上記記憶部に記憶された上記設定情報を変更する設定変更部と
を有することを特徴とする洗濯機。
【請求項２】
請求項１に記載の洗濯機において、
上記設定変更部は、上記電源のオン中に作成された設定変更指示情報を上記通信部が受信したとき、上記設定変更指示情報に基づいて、上記記憶部に記憶された上記設定情報を変更することを特徴とする洗濯機。
【請求項３】
請求項２に記載の洗濯機において、
上記電源のオン中に作成された設定変更指示情報を上記通信部が受信したとき、上記記憶部に記憶された上記設定情報の変更は、上記洗濯物を処理するための運転中、または、上記洗濯物を処理するための運転の予約待機中に行われることを特徴とする洗濯機。
【請求項４】
請求項１から３までのいずれか一項に記載の洗濯機において、
上記設定変更指示情報は報知音の音量の変更に関する指示情報であることを特徴とする洗濯機。
【請求項５】
請求項１から４までのいずれか一項に記載の洗濯機と、
上記洗濯機と通信するサーバと、
上記サーバと通信する端末と
を備え、
上記サーバは、上記洗濯機の上記電源のオフ中に作成された設定変更指示情報を保存可能であり、上記洗濯機の上記電源のオフ中に作成された設定変更指示情報を保存しているとき、上記洗濯機の上記問い合わせ部の問い合わせを受けると、上記問い合わせ部の問い合わせの回答として上記設定変更指示情報を上記洗濯機の上記通信部へ送信することを特徴とする洗濯システム。
【発明の詳細な説明】
【技術分野】
【０００１】
この発明は、洗濯機と、この洗濯機を備えた洗濯システムとに関する。
【背景技術】
【０００２】
従来、洗濯機としては、特開２０１４−３３８３２号公報(特許文献１)に開示されているように、移動通信端末と通信する通信部を備えたものがある。この通信部が表示部の消灯指示情報を移動通信端末から受信したとき、表示部が消灯する。これにより、上記表示部の消費電力の低減が図られている。
【先行技術文献】
【特許文献】
【０００３】
【特許文献１】特開２０１４−３３８３２号公報
【発明の概要】
【発明が解決しようとする課題】
【０００４】
しかしながら、上記従来の洗濯機では、電源がオフされていると、通信部は移動通信端末と通信できないため、表示部の消灯指示情報を移動通信端末から受信できない。
【０００５】
したがって、上記従来の洗濯機は、表示部を消灯させるための設定を変更できないので、使い勝手が悪いという問題がある。
【０００６】
そこで、この発明の課題は、使い勝手が良好な洗濯機と、この洗濯機を備えた洗濯システムとを提供することにある。
【課題を解決するための手段】
【０００７】
上記課題を解決するため、この発明の洗濯機は、
通信部と、
操作部と、
報知部と、
洗濯物を処理する洗濯物処理部と、
上記洗濯物を処理するための運転に関する設定情報を記憶する記憶部と、
上記操作部からの指示と、上記記憶部に記憶された上記設定情報とに基づいて、上記洗濯物処理部および上記報知部を制御する制御装置と
を備え、
上記制御装置は、
電源がオンされると、上記電源のオフ中に作成された設定変更指示情報を保存しているか否かを、上記通信部を介して、サーバに問い合わせる問い合わせ部と、
上記サーバが上記問い合わせ部の問い合わせの回答として上記設定変更指示情報を上記通信部へ送信して、上記通信部が上記設定変更指示情報を受信したとき、上記設定変更指示情報に基づいて、上記記憶部に記憶された上記設定情報を変更する設定変更部と
を有することを特徴としている。
【０００８】
一実施形態の洗濯機では、
上記設定変更部は、上記電源のオン中に作成された設定変更指示情報を上記通信部が受信したとき、上記設定変更指示情報に基づいて、上記記憶部に記憶された上記設定情報を変更する。
【０００９】
一実施形態の洗濯機では、
上記電源のオン中に作成された設定変更指示情報を上記通信部が受信したとき、上記記憶部に記憶された上記設定情報の変更は、上記洗濯物を処理するための運転中、または、上記洗濯物を処理するための運転の予約待機中に行われる。
【００１０】
一実施形態の洗濯機では、
上記設定変更指示情報は報知音の音量の変更に関する指示情報である。
【００１１】
一実施形態の洗濯機では、
上記設定変更指示情報はすすぎの回数の変更に関する指示情報である。
【００１２】
この発明の洗濯システムは、
この発明または一実施形態の洗濯機と、
上記洗濯機と通信するサーバと、
上記サーバと通信する端末と
を備え、
上記サーバは、上記洗濯機の上記電源のオフ中に作成された設定変更指示情報を保存可能であり、上記洗濯機の上記電源のオフ中に作成された設定変更指示情報を保存しているとき、上記洗濯機の上記問い合わせ部の問い合わせを受けると、上記問い合わせ部の問い合わせの回答として上記設定変更指示情報を上記洗濯機の上記通信部へ送信することを特徴としている。
【００１３】
一実施形態の洗濯システムでは、
上記端末は移動通信端末である。
【発明の効果】
【００１４】
この発明の洗濯機において、制御装置は、電源がオンされると、電源のオフ中に作成された設定変更指示情報を保存しているか否かを、通信部を介して、サーバに問い合わせる問い合わせ部を有する。さらに、上記制御装置は、サーバが問い合わせ部の問い合わせの回答として設定変更指示情報を通信部へ送信して、通信部が設定変更指示情報を受信したとき、設定変更指示情報に基づいて、記憶部に記憶された設定情報を変更する設定変更部を有する。したがって、上記電源がオフされていても、記憶部に記憶された設定情報を変更することができる。したがって、使い勝手が良好な洗濯機を提供することができる。
【図面の簡単な説明】
【００１５】
【図１】この発明の第１実施形態の洗濯システムの概略構成図である。
【図２】上記第１実施形態の洗濯機の電源オフ時の操作表示部の外観図である。
【図３】上記洗濯機の電源オン時の操作表示部の通常モードの外観図である。
【図４】上記洗濯機の電源がオフになっているときの洗濯機の設定情報の変更について説明するためのフロー図である。
【図５】上記第１実施形態の移動通信携帯端末の模式図である。
【図６】上記移動通信携帯端末の他の状態の模式図である。
【図７】上記移動通信携帯端末の他の状態の模式図である。
【図８】上記洗濯機の電源がオンになっているときの洗濯機の設定情報の変更について説明するためのフロー図である。
【図９】上記洗濯機の電源オン時の操作表示部の特殊設定モードの外観図である。
【図１０】上記操作表示部の特殊設定モードの他の状態の外観図である。
【図１１】上記操作表示部の特殊設定モードのさらに他の状態の外観図である。
【発明を実施するための形態】
【００１６】
以下、この発明を図示の実施の形態により詳細に説明する。
【００１７】
〔第１実施形態〕
図１はこの発明の第１実施形態の洗濯システム１の概略構成図である。
【００１８】
上記洗濯システム１は、洗濯機１００と、この洗濯機１００と通信するサーバ２００と、このサーバ２００と通信する移動通信携帯端末３００とを備える。なお、移動通信携帯端末３００は移動通信端末の一例である。
【００１９】
上記洗濯機１００は、無線通信モジュール１１０と、操作表示部１２０と、スピーカ１３０と、洗濯物を処理する洗濯乾燥部１４０と、洗濯物を処理するための運転に関する設定情報を記憶するメモリ１５０とを備える。ここで、上記洗濯物を処理するための運転とは、洗濯運転、脱水運転、乾燥運転などのように、洗濯物の汚れや臭いを除去したり、洗濯物を乾かしたりするための運転などを指す。また、上記洗濯物を処理するための運転に関する設定情報としては、例えば運転終了音、すすぎ回数などの設定情報がある。なお、無線通信モジュール１１０は通信部の一例である。また、操作表示部１２０は操作部の一例である。また、スピーカ１３０は報知部の一例である。また、洗濯乾燥部１４０は洗濯物処理部の一例である。また、メモリ１５０は記憶部の一例である。また、上記運転終了音は報知音の一例である。
【００２０】
上記無線通信モジュール１１０は、屋内の無線アクセスポイント４００との間で無線通信を行う。より詳しくは、無線通信モジュール１１０は、通信規格の一例としてのＷｉ-Ｆｉ(ワイファイ：ブランド名)の通信規格を用い、無線アクセスポイント４００を介して、屋外のサーバ２００に情報を送信したり、屋外のサーバ２００から情報を受信したりする。また、サーバ２００と無線アクセスポイント４００の間の通信は、例えば電気通信網または光通信網を介して行われる。
【００２１】
上記洗濯乾燥部１４０は、図示しないが、周知の水槽、洗濯兼脱水槽、モータ、給水弁、排水弁、ヒートポンプユニット等を有し、洗濯、脱水および乾燥を行う。
【００２２】
上記メモリ１５０は、例えば、記憶した設定情報を書き換え可能であり、洗濯機１００の電源を切っても設定情報が消えない不揮発性半導体メモリである。
【００２３】
また、上記洗濯機１００は、操作表示部１２０からの指示と、メモリ１５０に記憶された設定情報とに基づいて、洗濯乾燥部１４０およびスピーカ１３０などを制御する制御装置１６０を備える。この制御装置１６０は、例えば、マイクロコンピュータと入出力回路などからなり、無線通信モジュール１１０との間で情報を送受信する。
【００２４】
また、上記制御装置１６０は、問い合わせ部１６１および設定変更部１６２を有する。この問い合わせ部１６１および設定変更部１６２は、それぞれ、ソフトウェアによって構成されている。
【００２５】
上記問い合わせ部１６１は、洗濯機１００の電源がオンされると、洗濯機１００の電源のオフ中に作成された設定変更指示情報を保存しているか否かを、無線通信モジュール１１０を介して、サーバ２００に問い合わせる。このとき、サーバ２００は、上記設定変更指示情報を保存していれば、問い合わせ部１６１の問い合わせの回答として上記設定変更指示情報を無線通信モジュール１１０に送信する。
【００２６】
上記設定変更部１６２は、サーバ２００が問い合わせ部１６１の問い合わせの回答として上記設定変更指示情報を無線通信モジュール１１０へ送信して、無線通信モジュール１１０が上記設定変更指示情報を受信したとき、上記設定変更指示情報に基づいて、メモリ１５０に記憶された設定情報を変更する。
【００２７】
また、上記設定変更部１６２は、洗濯機１００の電源のオン中に作成された設定変更指示情報を無線通信モジュール１１０が受信したとき、上記設定変更指示情報に基づいて、メモリ１５０に記憶された設定情報を変更する。
【００２８】
また、上記洗濯機１００の電源のオン中に作成された設定変更指示情報を無線通信モジュール１１０が受信したとき、洗濯物を処理するための運転中であっても、設定変更部１６２は、上記設定変更指示情報に基づいて、メモリ１５０に記憶された設定情報を変更する。
【００２９】
また、上記洗濯機１００の電源のオン中に作成された設定変更指示情報を無線通信モジュール１１０が受信したとき、洗濯物を処理するための運転の予約待機中であっても、設定変更部１６２は、上記設定変更指示情報に基づいて、メモリ１５０に記憶された設定情報を変更する。
【００３０】
上記サーバ２００は、移動通信携帯端末３００からの設定変更指示情報を受信して保存することが可能である。また、図示しないが、サーバ２００と無線アクセスポイント４００の間には、モデムおよびブロードバンドルータが設置されている。ユーザが、予め取得した固有の識別子(以下、「ユーザーＩＤ」と言う。)をサーバ２００に登録した状態で、サーバ２００と洗濯機１００のペアリング操作を行う。そうすると、ユーザーＩＤと、ブロードバンドルータのグローバルＩＰ(Internet Protocol)アドレスと、洗濯機１００のプライベートＩＰアドレスと、無線通信モジュール１１０のＭＡＣアドレスとが、互いに関連付けされてサーバ２００に保存される。これにより、サーバ２００は、ユーザＩＤに基づき、洗濯機１００の無線通信モジュール１１０と情報を送受信することができるようになっている。
【００３１】
上記移動通信携帯端末３００は、洗濯機１００の電源のオフ中に設定変更指示情報を作成してサーバ２００に送信したり、洗濯機１００の電源のオン中に設定変更指示情報を作成してサーバ２００に送信したりする。より詳しくは、移動通信携帯端末３００は、例えばスマートフォン(smartphone：多機能携帯電話)であり、サーバ２００との間で無線通信を行う。この移動通信携帯端末３００は携帯通信網を介してサーバ２００に接続される。これにより、移動通信携帯端末３００は、洗濯機１００の電源のオンオフに関係なく、洗濯機１００に送信するための設定変更指示情報をサーバ２００に送信できる。
【００３２】
図２は上記洗濯機１００の電源オフ時の操作表示部１２０の外観図である。また、図３は上記洗濯機１００の電源オン時の操作表示部１２０の通常モードの外観図である。
【００３３】
上記操作表示部１２０には、図２に示すように、電源入りキー１７１、電源切りキー１７２、スタート一時停止キー１７３、ロック解除キー１７４、第１運転モードキー１７５、第２運転モードキー１７６、第３運転モードキー１７７、リフレッシュモードキー１７８、洗いキー１７９、すすぎキー１８０、脱水キー１８１、乾燥キー１８２、ふろ水キー１８３、予約キー１８４、音声キー１８５などが設けられている。例えば電源入りキー１７１を押すと、洗濯機１００の電源が入り、図３に示すように、スタート一時停止キー１７３の周辺部や、第２運転モードキー１７６などが点灯する。そして、図示しないが、洗い運転などを予約するために予約キー１８４を押すと、予約キー１８４の上側の時計の図形が点灯する。このように、予約キー１８４の押下によって、洗濯物を処理するための運転を予約すると、洗濯機１００の電源は、大部分が切れるが、一部が入ったままとなる。
【００３４】
また、上記操作表示部１２０には、例えば洗い工程の予約時刻や残り時間などを表示する表示部１８６も設けられている。
【００３５】
以下、図４を主に用いて、上記洗濯機１００の電源がオフになっているときの洗濯機１００の設定情報の変更について説明する。
【００３６】
上記洗濯機１００の電源がオフになっている状態で、例えば、移動通信携帯端末３００を使って洗濯機１００の運転終了音を「切り」に設定するとき、まず、ユーザは、サーバ２００に携帯電話通信網を介して移動通信携帯端末３００を接続し、ユーザＩＤでサーバ２００にログインする。そうすると、移動通信携帯端末３００の表示部３０１が、図５に示すように、運転終了音入りキー３０２と、運転終了音切りキー３０３と、すすぎ回数１回入りキー３０４と、すすぎ回数１回切りキー３０５と、送信キー３０６とを表示する。なお、運転終了音入りキー３０２、運転終了音切りキー３０３、すすぎ回数１回入りキー３０４、すすぎ回数１回切りキー３０５および送信キー３０６は、それぞれ、ソフトキーである。
【００３７】
次に、ユーザは、洗濯機１００の運転終了音を「切り」に設定するため、運転終了音切りキー３０３と送信キー３０６をこの順で押す。これにより、移動通信携帯端末３００が、図４に示すように、洗濯機１００の運転終了音を「切り」に設定するための設定変更指示情報をサーバ２００に送信する。
【００３８】
次に、上記サーバ２００は、洗濯機１００の運転終了音を「切り」に設定するための設定変更指示情報を、ユーザＩＤに対応する洗濯機１００の無線通信モジュール１１０に送信して、予め設定された時間が経過するまで、洗濯機１００からの応答を待つ。なお、上記設定変更指示情報は報知音の音量の変更に関する指示情報の一例である。
【００３９】
次に、上記サーバ２００は、上記予め設定された時間が経過しても、洗濯機１００からの応答がないため、タイムアウトと判定して、データ蓄積を行う。すなわち、サーバ２００は、洗濯機１００の運転終了音を「切り」に設定するための設定変更指示情報を保存する。
【００４０】
次に、上記サーバ２００は、洗濯機１００の運転終了音を「切り」に設定できなかったことを移動通信携帯端末３００に通知する。これにより、移動通信携帯端末３００の表示部３０１は、図６に示すように、洗濯機１００の運転終了音を「切り」に設定できなかったことを表示する。なお、サーバ２００から移動通信携帯端末３００への通知は、プッシュ通知であってもよいし、プッシュ通知でなくてもよい。
【００４１】
その後、上記洗濯機１００の電源がオンされると、洗濯機１００は、データ問い合わせをサーバ２００に行う。より詳しくは、洗濯機１００の問い合わせ部１６１が、洗濯機１００の電源のオフ中に作成された設定変更指示情報を保存しているか否かを、無線通信モジュール１１０を介して、サーバ２００に問い合わせる。
【００４２】
次に、上記サーバ２００は、洗濯機１００からの問い合わせに応じて、データ確認を行う。このとき、サーバ２００は、洗濯機１００の電源のオフ中に作成された設定変更指示情報を保存しているので、この設定変更指示情報を洗濯機１００に再送する。すなわち、サーバ２００は、問い合わせ部１６１の問い合わせの回答として上記設定変更指示情報を洗濯機１００の無線通信モジュール１１０に送信する。なお、サーバ２００は、データ確認を行ったとき、設定変更指示情報を保存していなければ、設定変更指示情報を保存していないとの回答を洗濯機１００の無線通信モジュール１１０に送信する。
【００４３】
次に、上記洗濯機１００の無線通信モジュール１１０がサーバ２００からの設定変更指示情報を受信する。このとき、洗濯機１００の設定変更部１６２は、サーバ２００からの設定変更指示情報に基づいて、メモリ１５０に記憶された設定情報を変更する。すなわち、洗濯機１００の運転終了音が「切り」と設定されるように、メモリ１５０に記憶された設定情報が書き換えられる。
【００４４】
次に、上記洗濯機１００は、洗濯機１００の運転終了音を「切り」に設定できたことをサーバ２００に確認通知する。
【００４５】
次に、上記サーバ２００は、洗濯機１００からの確認通知に応じて、蓄積データを削除する。すなわち、サーバ２００は、保存していた設定変更指示情報を削除する。
【００４６】
最後に、上記サーバ２００は、洗濯機１００の運転終了音を「切り」にできたことを移動通信携帯端末３００に通知する。これにより、移動通信携帯端末３００の表示部３０１は、図７に示すように、洗濯機１００の運転終了音を「切り」にできたことを表示する。なお、サーバ２００から移動通信携帯端末３００への通知は、プッシュ通知であってもよいし、プッシュ通知でなくてもよい。
【００４７】
このように、上記洗濯機１００の電源のオフ中であっても、設定変更指示情報を作成してサーバ２００に送信して保存すれば、その後、洗濯機１００は、電源がオンされることにより、上記設定変更指示情報をサーバ２００から得ることができる。したがって、洗濯機１００は、電源のオフ中に作成された設定変更指示情報に基づいて、メモリ１５０に記憶された設定情報を変更できるので、使い勝手が良好である。
【００４８】
また、上記設定変更指示情報は洗濯機１００の運転終了音の音量に関する指示情報であるので、メモリ１５０に記憶された設定情報のうち、運転終了音の音量に関する設定情報を確実に変更することができる。
【００４９】
また、図４では、洗濯機１００の運転終了音を「切り」に設定するための設定変更指示情報をサーバ２００に送信していたが、運転終了音入りキー３０２を押すことにより、洗濯機１００の運転終了音を「入り」に設定するための設定変更指示情報をサーバ２００に送信することもできる。
【００５０】
また、上記すすぎ回数１回入りキー３０４またはすすぎ回数１回切りキー３０５を押すことにより、すすぎ回数１回を「入り」または「切り」にするための設定変更指示情報をサーバ２００に送信することもできる。ここで、すすぎ回数１回を「入り」に設定するとは、すすぎの回数が１回となるように設定することを意味する。一方、すすぎ回数１回を「切り」に設定するとは、すすぎの回数が予め設定された複数回数となるように設定することを意味する。なお、上記設定変更指示情報はすすぎの回数の変更に関する指示情報の一例である。
【００５１】
また、上記設定変更指示情報は、すすぎの回数の変更に関する指示情報であるので、記憶部１５０に記憶された設定情報のうち、すすぎの回数に関する設定情報を確実に変更することができる。
【００５２】
また、上記移動通信端末を用いることによって、様々な場所から設定変更指示情報をサーバ２００に送信できる。
【００５３】
以下、図８を主に用いて、上記洗濯機１００の電源がオンになっているときの洗濯機１００の設定情報の変更について説明する。
【００５４】
上記洗濯機１００の電源がオンになっている状態で、例えば、移動通信携帯端末３００を使って洗濯機１００の運転終了音を「切り」に設定するとき、まず、ユーザは、サーバ２００に携帯電話通信網を介して移動通信携帯端末３００を接続し、ユーザＩＤでサーバ２００にログインする。そうすると、移動通信携帯端末３００の表示部３０１が、図５に示すように、運転終了音入りキー３０２と、運転終了音切りキー３０３と、すすぎ回数１回入りキー３０４と、すすぎ回数１回切りキー３０５と、送信キー３０６とを表示する。
【００５５】
次に、ユーザは、洗濯機１００の運転終了音を「切り」に設定するため、運転終了音切りキー３０３と送信キー３０６をこの順で押す。これにより、移動通信携帯端末３００が、図８に示すように、洗濯機１００の運転終了音を「切り」に設定するための設定変更指示情報をサーバ２００に送信する。
【００５６】
次に、上記サーバ２００は、洗濯機１００の運転終了音を「切り」に設定するための設定変更指示情報を、ユーザＩＤに対応する洗濯機１００の無線通信モジュール１１０に送信して、予め設定された時間が経過するまで、洗濯機１００からの応答を待つ。
【００５７】
次に、上記洗濯機１００の無線通信モジュール１１０がサーバ２００からの設定変更指示情報を受信する。このとき、設定変更部１６２が、上記設定変更指示情報に基づいて、メモリ１５０に記憶された設定情報を変更する。すなわち、洗濯機１００の運転終了音が「切り」となるように、メモリ１５０に記憶された設定情報を書き換える。
【００５８】
次に、上記洗濯機１００は、洗濯機１００の運転終了音を「切り」に設定できたことをサーバ２００に確認通知する。
【００５９】
最後に、上記サーバ２００は、洗濯機１００の運転終了音を「切り」に設定できたことを移動通信携帯端末３００に通知する。これにより、移動通信携帯端末３００の表示部３０１は、図７に示すように、洗濯機１００の運転終了音を「切り」に設定できたことを表示する。なお、サーバ２００から移動通信携帯端末３００への通知は、プッシュ通知であってもよいし、プッシュ通知でなくてもよい。
【００６０】
このように、上記洗濯機１００の電源のオフ中だけでなく、洗濯機１００のオン中であっても、設定変更指示情報を作成してサーバ２００に送信すれば、洗濯機１００は上記設定変更指示情報をサーバ２００から得ることができる。したがって、洗濯機１００は、電源のオン中に作成された設定変更指示情報に基づいて、メモリ１５０に記憶された設定情報を変更できるので、使い勝手がさらに良好である。
【００６１】
また、上記洗濯機１００の電源のオン中に作成された設定変更指示情報を無線通信モジュール１１０が受信したとき、洗濯物を処理するための運転中であっても、設定変更部１６２は、上記設定変更指示情報に基づいて、メモリ１５０に記憶された設定情報を変更する。したがって、上記設定情報の変更は、上記運転を停止させてから行わなくてもよいので、迅速に行うことができる。
【００６２】
例えば、上記洗濯物を処理するための運転が深夜に行われているとき、運転終了音が気になれば、ユーザは移動通信携帯端末３００を使って寝室から運転終了音を「切り」に設定して、運転終了音が鳴らないようにすることができる。
【００６３】
また、上記洗濯機１００の電源のオン中に作成された設定変更指示情報を無線通信モジュール１１０が受信したとき、洗濯物を処理するための運転の予約待機中であっても、設定変更部１６２は、上記設定変更指示情報に基づいて、メモリ１５０に記憶された設定情報を変更する。したがって、上記設定情報の変更は、上記予約を解除してから行わなくてもよいので、迅速に行うことができる。
【００６４】
また、図８では、洗濯機１００の運転終了音を「切り」に設定するための設定変更指示情報をサーバ２００に送信していたが、運転終了音入りキー３０２を押すことにより、洗濯機１００の運転終了音を「入り」にするための設定変更指示情報をサーバ２００に送信することもできる。
【００６５】
また、上記すすぎ回数１回入りキー３０４またはすすぎ回数１回切りキー３０５を押すことにより、すすぎ回数１回を「入り」または「切り」にするための設定変更指示情報をサーバ２００に送信することもできる。
【００６６】
ところで、上記メモリ１５０に記憶された設定情報は操作表示部１２０を操作しても変更することができる。例えば、操作表示部１２０を操作して、洗濯機１００の運転終了音の設定情報を変更する場合は、まず、電源をオンにするとき、電源入りキー１７１とロック解除キー１７４を二重押しする。そうすると、図９に示すように、操作表示部１２０は特殊設定モードで立ち上がり、洗濯機１００の電源が入り、スタート一時停止キー１７３の周辺部や、第１運転モードキー１７５、第２運転モードキー１７６、第３運転モードキー１７７、リフレッシュモードキー１７８などが点灯する。
【００６７】
そして、上記第３運転モードキー１７７を押すと、図１０に示すように、スタート一時停止キー１７３の周辺部と第３運転モードキー１７７だけが点灯し、表示部１８６が「０」を表示する。このように、表示部１８６が「０」を表示するとき、スタート一時停止キー１７３を押すと、洗濯機１００の運転終了音が「入り」に設定される。
【００６８】
また、上記表示部１８６が「０」を表示しているとき、第３運転モードキー１７７を押すと、図１１に示すように、表示部１８６が「１」を表示する。このように、表示部１８６が「１」を表示するとき、スタート一時停止キー１７３を押すと、洗濯機１００の運転終了音が「切り」に設定される。
【００６９】
また、上記表示部１８６が「１」を表示しているとき、第３運転モードキー１７７を押すと、図１０に示すように、表示部１８６が「０」を表示する。
【００７０】
以上のように、操作表示部１２０を操作することによって、洗濯機１００の運転終了音を「入り」または「切り」に設定することができるが、この操作は覚え難いため、設定ミスが起こり易い。
【００７１】
また、上記表示部１８６が「０」,「１」が何を示しているのかも分かり難いため、設定ミスがさらに起こり易い。
【００７２】
また、上記洗濯機１００の電源のオン中に、洗濯機１００の設定を変更しようとすると、電源切りキー１７２を押して、洗濯機１００の電源を一旦オフする必要があるため、手間が掛かる。
【００７３】
また、上記操作表示部１２０を操作して洗濯機１００の運転終了音を「入り」に設定すると、「ピーッ」という報知音が鳴る一方、操作表示部１２０を操作して洗濯機１００の運転終了音を「切り」に設定すると、「ピピッ」という報知音が鳴る。このため、上述のような報知音の違いにより、運転終了音が「入り」と「切り」のどちらに設定されたかを判別するのは困難である。
【００７４】
また、上記操作表示部１２０を操作して洗濯機１００の運転終了音の設定を変更するには、洗濯機１００の設置場所に行く必要があるため、面倒である。
【００７５】
これに対して、上記移動通信携帯端末３００の操作による洗濯機１００の運転終了音の設定は、運転終了音入りキー３０２と運転終了音切りキー３０３のどちらか一方を選択することで行うので、非常に分かり易い。したがって、設定ミスの発生頻度を下げることができる。
【００７６】
また、上記移動通信携帯端末３００の操作による洗濯機１００の運転終了音の設定は、洗濯機１００の電源がオンであってもオフであっても行えるので、手間が掛からない。
【００７７】
また、上記移動通信携帯端末３００の操作による洗濯機１００の運転終了音の設定が完了すると、移動通信携帯端末３００の表示部３０１は、洗濯機１００の運転終了音がどのように設定されたかを文字で表示する。したがって、運転終了音が「入り」と「切り」のどちらに設定されたかを判別するのは容易である。
【００７８】
また、上記移動通信携帯端末３００の操作による洗濯機１００の運転終了音の設定は、洗濯機１００の設置場所に行かなくてもよく、例えば寝室からでも行えるので、面倒でない。
【００７９】
上記第１実施形態では、移動通信携帯端末３００を使って、洗濯機１００の運転終了音設定とすすぎ回数設定とを行う場合について説明したが、移動通信携帯端末３００を使って、洗濯機１００の水量設定、脱水設定、乾燥設定、エコ設定、チャイルドロック設定、時刻設定、ネットワーク設定、発話設定なども行ってもよい。
【００８０】
上記第１実施形態では、洗濯機１００は、洗濯物を乾燥させる機能を有していたが、洗濯物を乾燥させる機能を有さなくてもよく、ドラム式洗濯機またはいわゆる縦型洗濯機であってもよい。
【００８１】
上記第１実施形態では、洗濯物を処理するための運転に関する設定情報は、不揮発性半導体メモリであるメモリ１５０に記憶させていたが、例えば、記憶部の一例としてのハードディスクドライブに記憶させてもよい。あるいは、洗濯物を処理するための運転に関する設定情報は、記憶部の一例として揮発性半導体メモリ(例えば、ＤＲＡＭ(Ｄｙｎａｍｉｃ Ｒａｎｄｏｍ Ｍｅｍｏｒｙ)、ＳＲＡＭ(Ｓｔａｔｉｃ Ｒａｎｄｏｍ Ａｃｃｅｓｓ Ｍｅｍｏｒｙ)など)に記憶させてもよい。すなわち、メモリ１５０の換わりに、ハードディスクドライブまたは揮発性半導体メモリを用いてもよい。
【００８２】
上記第１実施形態では、問い合わせ部１６１および設定変更部１６２は、それぞれ、ソフトウェアによって構成されていたが、少なくとも一方が、ハードウェアによって構成されるようにしてもよい。
【００８３】
上記第１実施形態では、メモリ１５０に記憶された設定情報を変更するとき、サーバ２００に携帯電話通信網を介して移動通信携帯端末３００を接続していたが、サーバ２００に無線アクセスポイント４００を介して移動通信携帯端末３００を接続してもよい。
【００８４】
上記第１実施形態では、無線アクセスポイント４００は、屋内に設置されていたが、屋外に設置されてもよい。
【００８５】
上記第１実施形態では、移動通信携帯端末３００は、携帯通信網を介して、サーバ２００に設定変更指示情報を送信していたが、無線アクセスポイント４００を介して、サーバ２００に設定変更指示情報を送信してもよい。
【００８６】
上記第１実施形態では、洗濯機１００は、運転終了音を「入り」または「切り」に設定できていたが、運転終了音を「入り」に設定するとき、運転終了音の音量を「大」、「中」および「小」のうちの一つに調整できるようにしてもよい。このようにする場合、移動通信携帯端末３００は、運転終了音の音量を「大」、「中」または「小」に設定するための設定変更指示情報をサーバ２００に送信できるようにしてもよい。
【００８７】
また、上記洗濯機１００は、キー受け付けブザー音、運転スタート音などの音量も、「大」、「中」および「小」のうちの一つに調整できるようにしてもよい。このようにする場合、移動通信携帯端末３００は、キー受け付けブザー音、運転スタート音などの音量を「大」、「中」または「小」に設定するための設定変更指示情報をサーバ２００に送信できるようにしてもよい。
【００８８】
〔第２実施形態〕
この発明の第２実施形態の洗濯機は、無線通信モジュール１１０の換わりに、通信部の一例としての有線通信モジュールを備えた点だけが、上記第１実施形態と異なる。
【００８９】
〔第３実施形態〕
この発明の第３実施形態の洗濯システムは、スマートファンである移動通信携帯端末３００の換わりに、タブレット端末である移動通信携帯端末を備えている。この移動通信携帯端末は、携帯通信網と無線アクセスポイント４００のうちの少なくとも一方に接続可能である。
【００９０】
〔第４実施形態〕
この発明の第４実施形態の洗濯システムは、移動通信携帯端末３００を端末の一例として用いる換わりに、サーバ２００に接続可能なデスクトップパソコンを端末の一例として用いている。
【００９１】
この発明の具体的な実施形態について説明したが、この発明は上記第１〜第４実施形態に限定されるものではなく、この発明の範囲内で種々変更して実施することができる。
例えば、第１〜第４実施形態を適宜組み合わせたものを、この発明の一実施形態としてもよい。
【００９２】
すなわち、この発明および実施形態を纏めると、次のようになる。
【００９３】
この発明の洗濯機１００は、
通信部１１０と、
操作部１２０と、
報知部１３０と、
洗濯物を処理する洗濯物処理部１４０と、
上記洗濯物を処理するための運転に関する設定情報を記憶する記憶部１５０と、
上記操作部１２０からの指示と、上記記憶部１５０に記憶された上記設定情報とに基づいて、上記洗濯物処理部１４０および上記報知部１３０を制御する制御装置１６０と
を備え、
上記制御装置１６０は、
電源がオンされると、上記電源のオフ中に作成された設定変更指示情報を保存しているか否かを、上記通信部１１０を介して、サーバ２００に問い合わせる問い合わせ部１６１と、
上記サーバ２００が上記問い合わせ部１６１の問い合わせの回答として上記設定変更指示情報を上記通信部１１０へ送信して、上記通信部１１０が上記設定変更指示情報を受信したとき、上記設定変更指示情報に基づいて、上記記憶部１５０に記憶された上記設定情報を変更する設定変更部１６２と
を有することを特徴としている。
【００９４】
上記構成によれば、上記問い合わせ部１６１は、電源がオンされると、電源のオフ中に作成された設定変更指示情報を保存しているか否かを、通信部１１０を介して、サーバ２００に問い合わせる。そして、上記設定変更部１６２は、サーバ２００が問い合わせ部１６１の問い合わせの回答として上記設定変更指示情報を通信部１１０へ送信して、通信部１１０が上記設定変更指示情報を受信したとき、上記設定変更指示情報に基づいて、記憶部１５０に記憶された設定情報を変更する。したがって、上記電源がオフされていても、記憶部１５０に記憶された設定情報を変更することができるので、良好な使い勝手が得られる。
【００９５】
一実施形態の洗濯機１００では、
上記設定変更部１６２は、上記電源のオン中に作成された設定変更指示情報を上記通信部１１０が受信したとき、上記設定変更指示情報に基づいて、上記記憶部１５０に記憶された上記設定情報を変更する。
【００９６】
上記実施形態によれば、上記設定変更部１６２は、電源のオン中に作成された設定変更指示情報を通信部１１０が受信したとき、上記設定変更指示情報に基づいて、記憶部１５０に記憶された設定情報を変更する。したがって、上記電源のオン中も、記憶部１５０に記憶された設定情報を変更することができるので、使い勝手を向上させることができる。
【００９７】
一実施形態の洗濯機１００では、
上記電源のオン中に作成された設定変更指示情報を上記通信部１１０が受信したとき、上記記憶部１５０に記憶された上記設定情報の変更は、上記洗濯物を処理するための運転中、または、上記洗濯物を処理するための運転の予約待機中に行われる。
【００９８】
上記実施形態によれば、上記記憶部１５０に記憶された設定情報の変更が、洗濯物を処理するための運転中に行われる場合、その運転を停止させなくても、設定情報の変更を行うことができる。したがって、上記記憶部１５０に記憶された設定情報の変更を迅速に行うことができる。
【００９９】
また、上記記憶部１５０に記憶された設定情報の変更が、洗濯物を処理するための運転の予約待機中に行われる場合、その予約を解除しなくても、設定情報の変更を行うことができる。したがって、上記記憶部１５０に記憶された設定情報の変更を迅速に行うことができる。
【０１００】
一実施形態の洗濯機１００では、
上記設定変更指示情報は報知音の音量の変更に関する指示情報である。
【０１０１】
上記実施形態によれば、上記設定変更指示情報は報知音の音量の変更に関する指示情報であるので、記憶部１５０に記憶された設定情報のうち、報知音の音量に関する設定情報を確実に変更することができる。
【０１０２】
一実施形態の洗濯機１００では、
上記設定変更指示情報はすすぎの回数の変更に関する指示情報である。
【０１０３】
上記実施形態によれば、上記設定変更指示情報はすすぎの回数の変更に関する指示情報であるので、記憶部１５０に記憶された設定情報のうち、すすぎの回数に関する設定情報を確実に変更することができる。
【０１０４】
この発明の洗濯システム１は、
この発明または一実施形態の洗濯機１００と、
上記洗濯機１００と通信するサーバ２００と、
上記サーバ２００と通信する端末と
を備え、
上記サーバ２００は、上記洗濯機１００の上記電源のオフ中に作成された設定変更指示情報を保存可能であり、上記洗濯機１００の上記電源のオフ中に作成された設定変更指示情報を保存しているとき、上記洗濯機１００の上記問い合わせ部の問い合わせを受けると、上記問い合わせ部１６１の問い合わせの回答として上記設定変更指示情報を上記洗濯機１００の上記通信部１１０へ送信することを特徴としている。
【０１０５】
上記実施形態によれば、上記サーバ２００は、洗濯機１００の電源のオフ中に作成された設定変更指示情報を保存しているとき、洗濯機１００の問い合わせ部の問い合わせを受けると、問い合わせ部１６１の問い合わせの回答として設定変更指示情報を洗濯機１００の通信部１１０へ送信する。これにより、上記洗濯機１００の設定変更部１６２は、洗濯機１００の電源のオフ中に作成された設定変更指示情報を利用できる。
【０１０６】
一実施形態の洗濯システム１では、
上記端末３００は移動通信端末３００である。
【０１０７】
上記実施形態によれば、上記端末３００は移動通信端末３００であるので、様々な場所でサーバ２００と通信できる。
【０１０８】
また、この発明は、例えば、電子レンジなどの加熱調理器、または、空気清浄機に利用してもよい。
【符号の説明】
【０１０９】
１  洗濯システム
１００  洗濯機
１１０  無線通信モジュール
１２０  操作表示部
１３０  スピーカ
１４０  洗濯乾燥部
１５０  メモリ
１６０  制御装置
１６１  問い合わせ部
１６２  設定変更部
１８６,３０１  表示部
２００  サーバ
３００  移動通信携帯端末
４００  無線アクセスポイント
【図１】
2016019652.tif 000003
【図２】
2016019652.tif 000004
【図３】
2016019652.tif 000005
【図４】
2016019652.tif 000006
【図５】
2016019652.tif 000007
【図６】
2016019652.tif 000008
【図７】
2016019652.tif 000009
【図８】
2016019652.tif 000010
【図９】
2016019652.tif 000011
【図１０】
2016019652.tif 000012
【図１１】
2016019652.tif 000013